(57)【要約】【課題】染毛剤を実際に使用することなく、該染毛剤使用後の毛髪の染毛状態を簡便に予測することを可能とする染毛剤の染毛状態予測方法を提供すること。【解決手段】被験者の毛髪の色を測定してその色情報を得、この色情報を、予め複数の毛髪を所定の染毛剤で染毛し、染毛前および染毛後の毛髪の色を測定することにより導かれた染毛前後の色情報の変化の関係式に代入することにより、前記被験者の染毛後の毛髪色を予測し、これを表示することを特徴とする染毛剤の染毛状態予測方法。【選択図】　なし【特許請求の範囲】
【請求項１】
被験者の毛髪の色を測定してその色情報を得、この色情報を、予め複数の毛髪を所定の染毛剤で染毛し、染毛前および染毛後の毛髪の色を測定することにより導かれた染毛前後の色情報の変化の関係式に代入することにより、前記被験者の染毛後の毛髪色を予測し、これを表示することを特徴とする染毛剤の染毛状態予測方法。
【請求項２】
色情報が、ＲＧＢ系、ＸＹＺ系、Ｌａｂ系またはＣＭＹＫ系の何れかの表色系で表される請求項第１項記載の染毛剤の染毛状態予測方法。
【請求項３】
予測された染毛後の毛髪色を、画像表示手段を用いて色表示することを特徴とする請求項第１項又は第２項記載の染毛剤の染毛状態予測方法。
【発明の詳細な説明】
【０００１】
【発明の属する技術分野】
本発明は、染毛剤の染毛状態予測方法に関する。さらに詳しくは、染毛剤を実際に使用することなく、該染毛剤使用後の毛髪の染毛状態を簡便に予測することを可能とする染毛剤の染毛状態予測方法に関する。
【０００２】
【従来の技術】
従来より、ヘアカラーやヘアマニキュアなどの染毛剤を用いて、毛髪を所望の色に染毛する、「おしゃれ染め」や「毛髪のカラーリング」が広く行われている。このおしゃれ染め等は、これまでは美容院等において専門の美容師が行うことが多かったが、近年では、素人でも手軽に使用できる染毛剤が各種市販されるようになり、薬局や化粧品店等で染毛剤を購入して、家庭において自分で染髪を行うケースが増えてきている。
【０００３】
このように家庭で染毛が行われるようになるに伴い、市販される染毛剤の種類も多種多様となってきたが、染毛剤による仕上がり後の髪色については、染毛剤の包装容器等に表示された色見本や、店頭に置かれた染毛後の毛束見本等により使用者に知らされることが一般的であった。そして、使用者も、これらの表示内容等を頼りにして、自己の染毛後の髪色を判断していた。
【０００４】
一方、染毛後の髪色は、染毛剤自体が有する色だけで決定されるわけではなく、染毛前の髪色の影響をも受けてしまうため、染毛剤の色見本等だけをもとにして、染毛後の髪色を判断することは困難なことであった。従って、同種類の染毛剤を使用しても、その使用者ごとに染毛後の髪色の染まり度合いが異なってしまうという問題が生じていた。
【０００５】
一方、かかる問題を解決するために、染毛剤による染毛後の髪色状態を画像表示により予測する手段として、髪質に応じて染まり上がりの色を表示するヘアカラーチャートの作成方法及び該チャートの作成装置（例えば、特許文献１参照）や、画像上で、被験者の毛髪領域を任意の髪色にシュミレートして、被験者が希望する髪色を見つけ出し、またその髪色を得るために必要な染毛剤を提示する方法及びシステムが提供されていた（例えば、特許文献２参照）。
【０００６】
【特許文献１】
特開平９−２０４１３８号公報（第１−９頁）
【特許文献２】
特開２００１−１９５５６８号公報（第１−５頁）
【０００７】
しかしながら、これらの手段は、画像表示を行うに際して装置が大型であったり、測定方法が非常に複雑である等の理由で、店頭などで簡易的に実施することが困難なものであった。また、測定環境における照明の影響により、染毛後の髪色を高精度で予測をすることができないという問題をも有しているものであった。
【０００８】
【発明が解決しようとする課題】
従って、染毛剤による染毛後の髪色を簡便かつ的確に予測ないし判断できるようにする手段の提供が求められていた。
【０００９】
【課題を解決するための手段】
本発明者らは、上記の課題を解決すべく鋭意検討した結果、所定の染毛剤毎に、複数の毛髪に対する染毛前後の毛髪色を測定することにより色情報を求め、得られた色情報をもとに染毛前後の色変化の関係式を導いておけば、染毛剤を適用した場合の仕上がりの髪色を簡便に予測ないし判断できることを見出し、本発明を完成した。
【００１０】
すなわち、本発明は、被験者の毛髪の色を測定してその色情報を得、この色情報を、予め複数の毛髪を所定の染毛剤で染毛し、染毛前および染毛後の毛髪の色を測定することにより導かれた染毛前後の色情報の変化の関係式に代入することにより前記被験者の染毛後の毛髪色を予測し、これを表示することを特徴とする染毛剤の染毛状態予測方法を提供するものである。
【００１１】
【発明の実施の形態】
本発明の染毛剤の染毛状態予測方法を実施するためには、まず、複数の毛髪試料を用意し、それぞれの毛髪試料について、所定の染毛剤で染毛する前と後の毛髪色を測定することにより色情報の変化を調べ、これら色情報の変化から所定の染毛剤の染毛前後の色情報の変化についての関係式を求める必要がある。
【００１２】
この関係式を求めるために用いる毛髪試料としては、その外観から判断できる範囲において、ある程度同種とみなせる範囲ごとに収集することが好ましい。例えば、若い一般的な日本人を対象とする場合は、外観上黒ないし濃茶と判断できる毛髪を毛髪試料として収集することが好ましい。これに対し、白髪や染毛処理あるいは脱色処理をした毛髪では、染毛後の変化が、髪色が黒ないしは濃茶であるものと比べ異なるので、これらは別個の毛髪試料とすることが好ましい。
【００１３】
また、染毛剤の染まり易さは、毛髪の太さや、直毛かくせ毛であるか等の髪質によっても異なることが多いので、毛髪試料の収集にあたっては、これらの髪状態についても、ある程度同種とみなせる状態のものを収集し、色情報を得ることが好ましい。
【００１４】
上記毛髪試料またはこれを染毛したものから色情報を得るには、常法に従って、例えば、白色光を毛髪試料に照射し、反射光を分光して各波長の強度を測定して各色の色情報を得る方法、または分光した光を照射し、反射光強度を測定して各色の情報を得る方法などを用いた装置により毛髪色を測定すればよく、例えば、携帯型測色計（ＣＯＬＯＲ　ＲＥＡＤＥＲ　ＣＲ−１０：ミノルタ（株）製）等の市販される装置を用いて毛髪色を測定して色情報を得ればよい。この毛髪色の測定にあたっての色情報の表示様式は特に制限はないが、例えば、一般に色表示形式として用いられる各種の表色系、例えば、ＲＧＢ系、ＸＹＺ系、Ｌａｂ系、ＣＭＹＫ系等の表色系を使用することができる。
【００１５】
なお、毛髪試料の染毛にあたっては、各試料に対する染色条件を共通にして実施することが好ましいことはいうまでもなく、染毛剤の使用量や濃度および染毛時間等の染毛条件についても、使用する染毛剤を用いる際の標準的なものとすることが好ましい。
【００１６】
以上のように複数の毛髪試料について、所定の染毛剤での染毛前および染毛後の色情報を得た後、これらから、染毛前後での色情報の変化に関する関係式を求める。
【００１７】
この色情報の関係式は、コンピュータ等により、各色情報を数値データとして取り扱うことにより求められるが、簡易には、色情報の構成要素毎に染毛前の毛髪試料のものをｘ軸（横軸）、染毛後の毛髪試料のものをｙ軸（縦軸）として表示し、各構成要素毎の相関式として求めることもできる。
【００１８】
例えば、染毛前後の色情報をＲＧＢ表色系の値として得た場合は、これらの各構成要素であるＲ値、Ｇ値およびＢ値のそれぞれについて、各試料毎にｘｙ座標上に染毛前の値と染毛後の値を示す点をプロットする。このプロットされた点は、一定の直線または曲線にそって分布するので、この直線または曲線を示す式を各構成要素毎の関係式（相関式）とすることができる。
【００１９】
かくして得た関係式を利用する被験者が所定の染毛剤で染毛した場合の毛髪の仕上がり色の予測は、次のようにして行うことができる。
【００２０】
まず、被験者の毛髪色の測定を行う。この測定は、上記した関係式の作成に用いたのと同じ表色系を用いて行なわれ、測定機器も関係式作成に当たって毛髪色を測定したものと同じものを用いることが好ましい。
【００２１】
この毛髪色の測定により得られた色情報は、各構成要素毎に前記のようにして作成された関係式に代入され、各構成要素毎に予測値としての計算値が得られる。そして、この各構成要素毎の計算値を総合することにより、予測毛髪色が得られる。
【００２２】
例えば、被験者の毛髪色をＲＧＢ表色系を用いて測定した場合は、この測定値から求められるＲ値、Ｇ値およびＢ値を、前記のようにして作成されたＲ値、Ｇ値およびＢ値についての関係式に代入し、各構成要素毎の予測値を求める。そして、予測されたＲ値、Ｇ値およびＢ値により表わされる色が、所定の染毛剤で被験者の毛髪を染毛した場合の予測色となるのである。
【００２３】
また、予測色は、種々の画像表示手段、例えば、カラー液晶、カラーモニター等の画像表示手段を用いることによって色表示することができ、被験者は、かかる色表示から、所定の染毛剤の仕上がり状態を予測することが可能となる。
【００２４】
【実施例】
次に実施例を挙げて本発明を更に詳しく説明するが、本発明はこれら実施例に何ら制約されるものではない。
【００２５】
実　施　例　１
染毛による毛髪の色情報の変化についての関係式：
下記範囲の仕様に含まれる市販品の毛束４種類を準備し、携帯型測色計（ＣＯＬＯＲ　ＲＥＡＤＥＲ　ＣＲ−１０：ミノルタ（株）製）を用いてＬａｂ値を測定して、染毛前の毛髪（原毛）の色情報データを得た。
【００２６】
2004144569.tif 000002
【００２７】
次に、染色剤として、ラビナス　カラーアピール（２剤式、色：グレーシャドー系）：花王（株）製）を用いて、前記毛髪を下記染色条件で染毛した後、髪の色情報を染毛前と同様にしてＬａｂ値を測定し、染色後の毛髪（染色毛）の色情報データを得た。なお、色情報は、ｎ＝３で確認した。
【００２８】
（　染色条件　）
毛束１ｇに対して、１剤を１ｇ及び２剤を１ｇを混合した後塗布して、サランラップ（登録商標）に包んだ後、４５℃の恒温槽にて２５分間放置した。その後シャンプーを用いて流水中で１分間洗浄して染色毛とした。
【００２９】
得られた原毛と染色毛の色情報データを、ＣＩＥ（国際照明委員会）にて定義された変換式を用いて、ＲＧＢ２５６階調色値に変換し、原毛及び染色毛の色情報の変換値をそれぞれ縦軸および横軸としてＲ、Ｇ、Ｂごとにプロットし、原毛と染色毛の間の色情報の関係を求めた。Ｒ値に関する結果を図１、Ｇ値に関する結果を図２、Ｂ値に関する結果を図３にそれぞれ示す。また、これらの結果から、原毛と染色毛の関係を示す近似式として下記式（Ｉ）〜（ＩＩＩ）を導いた。
【００３０】
【数１】
Ｒ　’＝　０．２３６×Ｒ＋３２．３　　……（Ｉ）
Ｇ　’＝　０．２７４×Ｇ＋５７．７　　……（ＩＩ）
Ｂ　’＝　０．３７７×Ｂ＋３６．０　　……（ＩＩＩ）
上記式中、Ｒ、Ｇ及びＢは、染色前の毛髪のＲＧＢ値を、Ｒ’、Ｇ’及びＢ’は、染色剤を用いて染色した後のＲＧＢ値の予測値をそれぞれ示す。
【００３１】
実　施　例　２
被験者の染毛後の毛髪色の予測：
実施例１で用いた測色計を用いて、被験者（３人：サンプル１〜３とする）の毛髪（原毛）の色情報をＬａｂ値として測定し、これをＣＩＥにて定義された変換式を用いて、ＲＧＢ２５６階調色値に変換した。そして、このＲＧＢ２５６階調色値を、Ｒ値、Ｇ値、Ｂ値ごとに、実施例１で得られた染毛剤の色情報の変化の関係（式（Ｉ）〜（ＩＩＩ））に代入し、被験者の毛髪の染色後の色情報の予測値をＲ値、Ｇ値およびＢ値で求めた。被験者の毛髪（原毛）の色情報及び染毛後の色情報の予測値を表１に示す。
【００３２】
また、上記被験者の髪を、実施例１で用いた染色剤及び染色条件を用いて染毛した後の毛髪の色情報をＬａｂ値として測定し、これをＣＩＥにて定義された変換式を用いて、ＲＧＢ２５６階調色値に変換した。この結果も併せて表１に示す。
【００３３】
（　結　果　）
【表１】
2004144569.tif 000003
【００３４】
表１の結果から、本発明の方法により得られる染毛後の色情報の予測値と、実際に染毛した後の毛髪を測定して得られる色情報の値は、相関が非常に高いものであった。以上より、本発明の方法が、染毛剤による毛髪の染毛状態を予測する手段として有効であることが確認できた。
【００３５】
【発明の効果】
本発明の染毛剤の染毛状態予測方法を用いれば、被験者が実際に染毛剤を使用しなくても、当該染毛剤を使用した場合における毛髪の染毛状態を簡便に予想することができるものである。
【００３６】
また、本発明は、被験者の毛髪を染毛することなく、所望の色に染毛するために必要な染毛剤を的確に選択することができるものである。
【００３７】
従って、本発明は、一般に用いられる染毛剤や、ブリーチ剤（脱色剤）等の使用により変化する髪色の状態を予測する手段として、化粧品店等の店頭や美容院において有利に使用することができるものである。
【図面の簡単な説明】
【図１】参考例１において、原毛と染色毛のＲ値の関係を示したグラフである。
【図２】参考例１において、原毛と染色毛のＧ値の関係を示したグラフである。
【図３】参考例１において、原毛と染色毛のＢ値の関係を示したグラフである。
以　　上
【図１】
2004144569.tif 000004
【図２】
2004144569.tif 000005
【図３】
2004144569.tif 000006